(57)【要約】【課題】ＶＯＸ機能が働く音声のレベルを意識する必要がなく、音声を送信しようとするときに通常の音量で通話を開始することができる無線通信機を提供する。【解決手段】音声レベル比較部３０６は、マイクロホン１が収音した音声信号のレベルとＶＯＸレベルとを比較する。送信判定部３０５は、音声レベル比較部３０６による比較結果に基づき、音声信号のレベルがＶＯＸレベル以上であれば送信部５に音声信号を送信するよう指示する。タイマ（経過時間計測部３０８及び経過時間比較部３０９）は、スイッチ８１が操作された時点からの経過時間を計測する。ＶＯＸレベル選択部３１０は、タイマが計測した経過時間が基準経過時間を超えればＶＯＸレベルを第１のＶＯＸレベルとし、基準経過時間以内であればＶＯＸレベルを第１のＶＯＸレベルよりも小さい第２のＶＯＸレベルとする。【選択図】図１
2019096922.tif 000002
【特許請求の範囲】
【請求項１】
マイクロホンが収音した音声信号のレベルとＶＯＸレベルとを比較する音声レベル比較部と、
前記音声レベル比較部による比較結果に基づき、前記音声信号のレベルが前記ＶＯＸレベル以上であれば送信部に前記音声信号を送信するよう指示する送信判定部と、
スイッチと、
前記スイッチが操作された時点からの経過時間を計測するタイマと、
前記タイマが計測した経過時間が基準経過時間を超えれば前記ＶＯＸレベルを第１のＶＯＸレベルとし、前記基準経過時間以内であれば前記ＶＯＸレベルを前記第１のＶＯＸレベルよりも小さい第２のＶＯＸレベルとするＶＯＸレベル選択部と、
を備えることを特徴とする無線通信機。
【請求項２】
マイクロホンが収音した音声信号のレベルとＶＯＸレベルとを比較する音声レベル比較部と、
前記音声レベル比較部による比較結果に基づき、前記音声信号のレベルが前記ＶＯＸレベル以上であれば送信部に前記音声信号を送信するよう指示する送信判定部と、
受信部が生成した受信信号のノイズレベルが閾値以上であればミュート制御部に前記受信信号のミュートを指示するスケルチ処理部と、
前記スケルチ処理部が前記受信信号のミュートを指示した時点から経過時間を計測するタイマと、
前記タイマが計測した経過時間が基準経過時間を超えれば前記ＶＯＸレベルを第１のＶＯＸレベルとし、前記基準経過時間以内であれば前記ＶＯＸレベルを前記第１のＶＯＸレベルよりも小さい第２のＶＯＸレベルとするＶＯＸレベル選択部と、
を備えることを特徴とする無線通信機。
【請求項３】
押下されている期間だけ、前記スケルチ処理部に対して、前記ミュート制御部に前記受信信号のアンミュートを指示させるモニタスイッチをさらに備え、
前記タイマは、前記モニタスイッチの押下が解除されることによって、前記スケルチ処理部が前記ミュート制御部に前記受信信号のミュートを指示した時点から経過時間を計測する
ことを特徴とする請求項２に記載の無線通信機。
【請求項４】
前記マイクロホンが収音した音声信号を所定時間遅延する遅延制御部を備え、
前記送信判定部は、前記タイマが計測した経過時間が前記基準経過時間以内であるとき、前記マイクロホンが収音した音声信号が前記第２のＶＯＸレベルを超えれば、前記送信部に前記遅延制御部により遅延された音声信号を送信するよう指示する
ことを特徴とする請求項１〜３のいずれか１項に記載の無線通信機。
【請求項５】
前記遅延制御部は、
前記マイクロホンが収音した音声信号を、所定の時間だけ録音して再生することによって遅延して出力するバッファと、
前記マイクロホンが収音した音声信号を遅延させずに出力するバイパス部と、
を備え、
前記送信判定部は、前記タイマが計測した経過時間が前記基準経過時間以内であれば、前記送信部に前記バッファから出力された音声信号を送信するよう指示し、前記タイマが計測した経過時間が前記基準経過時間を超えれば、前記送信部に前記バイパス部から出力された音声信号を送信するよう指示する
ことを特徴とする請求項４に記載の無線通信機。
【請求項６】
前記遅延制御部は、前記タイマが計測した経過時間が前記基準経過時間を超えれば前記バッファは動作を停止することを特徴とする請求項５に記載の無線通信機。
【発明の詳細な説明】
【技術分野】
【０００１】
本発明は、ＶＯＸ（Voice-operated Transmit）機能を搭載する無線通信機に関する。
【背景技術】
【０００２】
半二重通信方式を採用する無線通信機においては、ＰＴＴ（Push To Talk）スイッチを押下することによって無線通信機を送信状態へと切り替え、ＰＴＴスイッチの押下を解除することによって無線通信機を受信待ち受け状態へと切り替える。
【０００３】
これに加えて、無線通信機は、ハンズフリー通話を実現するために、マイクロホンが所定のレベル以上の音声を収音したときに無線通信機を送信状態に切り替える、いわゆるＶＯＸ機能を搭載することがある（特許文献１参照）。
【先行技術文献】
【特許文献】
【０００４】
【特許文献１】特開平７−３２１６９３号公報
【発明の概要】
【発明が解決しようとする課題】
【０００５】
ＶＯＸ機能を搭載する無線通信機において、ＶＯＸ機能を働かせるためには、マイクロホンが所定のレベル以上の音声を収音しなければならない。そこで、ユーザは、ＶＯＸ機能が働く音声のレベルを意識しながら話す必要があった。例えば、送信を開始したい場合に意図的に大きな音量で通話を開始するといったことを意識する必要があった。
【０００６】
また、ＶＯＸ機能が働いて無線通信機が音声の送信を開始するまでに所定の時間を要するため、通話の冒頭が送信できない、いわゆる頭切れが発生することがある。
【０００７】
そこで、全二重通信方式を採用する携帯電話のように、通話を開始するときの音声のレベルを意識することなく自然に通話することができ、頭切れを極力少なくすることができる無線通信機の登場が望まれる。
【０００８】
本発明は、ＶＯＸ機能が働く音声のレベルを意識する必要がなく、音声を送信しようとするときに通常の音量で通話を開始することができる無線通信機を提供することを目的とする。
【課題を解決するための手段】
【０００９】
本発明は、マイクロホンが収音した音声信号のレベルとＶＯＸレベルとを比較する音声レベル比較部と、前記音声レベル比較部による比較結果に基づき、前記音声信号のレベルが前記ＶＯＸレベル以上であれば送信部に前記音声信号を送信するよう指示する送信判定部と、スイッチと、前記スイッチが操作された時点からの経過時間を計測するタイマと、前記タイマが計測した経過時間が基準経過時間を超えれば前記ＶＯＸレベルを第１のＶＯＸレベルとし、前記基準経過時間以内であれば前記ＶＯＸレベルを前記第１のＶＯＸレベルよりも小さい第２のＶＯＸレベルとするＶＯＸレベル選択部とを備えることを特徴とする無線通信機を提供する。
【００１０】
本発明は、マイクロホンが収音した音声信号のレベルとＶＯＸレベルとを比較する音声レベル比較部と、前記音声レベル比較部による比較結果に基づき、前記音声信号のレベルが前記ＶＯＸレベル以上であれば送信部に前記音声信号を送信するよう指示する送信判定部と、受信部が生成した受信信号のノイズレベルが閾値以上であればミュート制御部に前記受信信号のミュートを指示するスケルチ処理部と、前記スケルチ処理部が前記受信信号のミュートを指示した時点から経過時間を計測するタイマと、前記タイマが計測した経過時間が基準経過時間を超えれば前記ＶＯＸレベルを第１のＶＯＸレベルとし、前記基準経過時間以内であれば前記ＶＯＸレベルを前記第１のＶＯＸレベルよりも小さい第２のＶＯＸレベルとするＶＯＸレベル選択部とを備えることを特徴とする無線通信機を提供する。
【発明の効果】
【００１１】
本発明の無線通信機によれば、ＶＯＸ機能が働く音声のレベルを意識する必要がなく、通信相手との会話が継続しているときには通常の音量で通話を開始することができる。
【図面の簡単な説明】
【００１２】
【図１】実施形態１の無線通信機を示すブロック図である。
【図２】実施形態１の無線通信機の動作を示すフローチャートである。
【図３】実施形態２の無線通信機を示すブロック図である。
【図４】実施形態２の無線通信機の基本的な動作を示すフローチャートである。
【図５】実施形態２の無線通信機が備えるモニタスイッチが押下されたときの動作を示すフローチャートである。
【図６】実施形態３の無線通信機を示すブロック図である。
【図７】実施形態３の無線通信機の動作を示すフローチャートである。
【図８】実施形態４の無線通信機を示すブロック図である。
【図９】実施形態４の無線通信機の基本的な動作を示すフローチャートである。
【図１０】実施形態４の無線通信機が備えるモニタスイッチが押下されたときの動作を示すフローチャートである。
【発明を実施するための形態】
【００１３】
（実施形態１）
図１及び図２を参照して、実施形態１の無線通信機１０１について説明する。図１に示すように、無線通信機１０１は、マイクロホン１、Ａ／Ｄ変換器２、中央処理装置（以下、ＣＰＵ）３、記憶部４、送信部５、受信部６、送受信用のアンテナ７を備える。記憶部４は不揮発性メモリであり、例えばＥＥＰＲＯＭ（Electrically Erasable and Programmable Read-only Memory）である。図１では、ＰＴＴスイッチの図示を省略している。
【００１４】
マイクロホン１はユーザが発する音声を収音し、アナログの音声信号をＡ／Ｄ変換器２に供給する。Ａ／Ｄ変換器２は、アナログの音声信号をＡ／Ｄ変換して、デジタルの音声信号をＣＰＵ３に供給する。
【００１５】
ＣＰＵ３は、送信判定部３０５、音声レベル比較部３０６、経過時間計測部３０８、経過時間比較部３０９、ＶＯＸレベル選択部３１０を有する。
【００１６】
送信判定部３０５からＶＯＸレベル選択部３１０までの各部は、ＣＰＵ３で実行されるソフトウェアによる機能として構成されているが、送信判定部３０５からＶＯＸレベル選択部３１０までの各部を回路等のハードウェアで構成してもよい。ハードウェアとソフトウェアとの使い分けは任意である。
【００１７】
ユーザがスイッチ８１を押下したとき、経過時間計測部３０８は、スイッチ８１が押下された時点からの経過時間を計測する。経過時間計測部３０８が計測した経過時間を示す情報は、経過時間比較部３０９に供給される。記憶部４には、基準経過時間と、第１のＶＯＸレベルと、第２のＶＯＸレベルとが記憶されている。経過時間比較部３０９は、経過時間計測部３０８が計測した経過時間と基準経過時間とを比較する。
【００１８】
スイッチ８１が押下された時点からの経過時間を計測する経過時間計測部３０８と、経過時間計測部３０８が計測した経過時間と記憶部４に記憶された基準経過時間とを比較する経過時間比較部３０９とは、スイッチ８１が押下された時点で経過時間の計測を開始し、基準経過時間を計測するタイマを構成している。
【００１９】
経過時間比較部３０９による比較結果は、ＶＯＸレベル選択部３１０に供給される。ＶＯＸレベル選択部３１０は、計測した経過時間が基準経過時間を超えれば第１のＶＯＸレベルを選択し、計測した経過時間が基準経過時間以内であれば第２のＶＯＸレベルを選択する。なお、記憶部４に記憶される基準経過時間と、第１のＶＯＸレベルと、第２のＶＯＸレベルとは任意に設定が可能である。
【００２０】
第１のＶＯＸレベルと第２のＶＯＸレベルとは、第１のＶＯＸレベル＞第２のＶＯＸレベルの関係にある。即ち、無線通信機１０１が第２のＶＯＸレベルを基準として、マイクロホン１が収音する音声が所定のレベル以上であるか否かを判定すれば、比較的小さい音量でＶＯＸ機能が働くことになる。無線通信機１０１が第１のＶＯＸレベルを基準として、マイクロホン１が収音する音声が所定のレベル以上であるか否かを判定すれば、第２のＶＯＸレベルを基準とした場合よりも大きい音量でＶＯＸ機能が働くことになる。
【００２１】
即ち、第１のＶＯＸレベルを設定するより第２のＶＯＸレベルを設定する方がＶＯＸの感度が高い。
【００２２】
ＶＯＸレベル選択部３１０が選択した第１のＶＯＸレベルまたは第２のＶＯＸレベルは、音声レベル比較部３０６に供給される。音声レベル比較部３０６は、Ａ／Ｄ変換器２より出力されたデジタル音声信号のレベルと、ＶＯＸレベル選択部３１０から供給されたＶＯＸレベル（第１のＶＯＸレベルと第２のＶＯＸレベルとのうちのいずれか一方）とを比較する。音声レベル比較部３０６は、比較結果を送信判定部３０５に供給する。
【００２３】
送信判定部３０５は、比較結果に基づき、Ａ／Ｄ変換器２より出力されたデジタル音声信号のレベルがＶＯＸレベル選択部３１０から供給されたＶＯＸレベル以上であれば、デジタル音声信号を送信部５に供給し、デジタル音声信号を送信するよう送信部５に指示する。送信部５は、音声信号を符号化し、変調してアンテナ７より送信する。さらに、送信判定部３０５は、送信部５にデジタル音声信号を送信するよう指示する際に、受信部６に受信の動作を停止するよう指示する。
【００２４】
なお、受信部６は、アンテナ７を介して他の無線通信機が送信した音声データを受信したとき、受信した音声データを復号し、復号した音声データを復調して受信信号（音声信号）を生成する。受信信号を処理する構成については図示を省略している。
【００２５】
Ａ／Ｄ変換器２より出力されたデジタル音声信号のレベルがＶＯＸレベル選択部３１０から供給されたＶＯＸレベル以上でなければ、ユーザが音声を発していないということであり、送信判定部３０５は、送信部５に対して音声信号を送信する指示をしない。
【００２６】
計測した経過時間が基準経過時間以内であれば第２のＶＯＸレベルが選択されるので、ユーザは、意図的に大きな音量で通話を開始する必要はなく、通常の音量で通話を開始することができる。ユーザは任意のタイミングでスイッチ８１を押下して、基準経過時間で設定される所定に時間だけ、ＶＯＸの感度を高くすることができる。ユーザが通話を開始しようとするタイミングでスイッチ８１を押下すれば、不自然に大きな音量で話す必要がなく、通信相手と自然な会話をすることが可能となる。
【００２７】
なお、無線通信機１０１が第２のＶＯＸレベルを常時用いると、比較的小さい音量でＶＯＸ機能が働くため誤動作が発生するおそれがある。よって、第２のＶＯＸレベルを常時用いることは好ましくない。第２のＶＯＸレベルを用いる時間を、ユーザがスイッチ８１を押下した時点からの基準経過時間以内と限定することによって誤動作の発生を防ぎつつ、通信相手と自然な会話をすることができる。
【００２８】
また、ここではユーザがスイッチ８１を押下した時点からの経過時間を計測することとして説明したが、ユーザが押下を継続する必要はないため、経過時間計測部３０８は、スイッチ８１を押下した後に押下を解除した時点から経過時間の計測を開始してもよい。つまり、経過時間計測部３０８は、スイッチ８１がユーザにより操作されたことを検出して経過時間の計測を開始すればよい。
【００２９】
図２に示すフローチャートを用いて、実施形態１の無線通信機１０１におけるＶＯＸレベルの切り替え処理を説明する。なお、以降全ての実施形態において第１のＶＯＸレベルが初期値として設定されているものとする。図２において、無線通信機が受信待ち受け状態にあるとき、ＣＰＵ３は、ステップS101にて、スイッチ８１が押下されたか否かを判定する。スイッチ８１が押下されなければ（NO）、ＣＰＵ３はステップS101の処理を繰り返す。ステップS101にてスイッチ８１が押下されれば（YES）、ＣＰＵ３は、ステップS102にて、スイッチ８１が押下された時点からの時間経過の計測を開始する。
【００３０】
ＣＰＵ３は、ステップS103にて、スイッチ８１が押下された時点からの経過時間が基準時間を超えたか否かを判定する。スイッチ８１が押下された時点からの経過時間が基準時間を超えていなければ（NO）、ＣＰＵ３は、ステップS104にて、第２のＶＯＸレベルを選択して、処理をステップS103に戻す。
【００３１】
ステップS103にてスイッチ８１が押下された時点からの経過時間が基準時間を超えれば（YES）、ＣＰＵ３は、ステップS105にて、スイッチ８１が押下された時点からの経過時間を初期化し、ステップS106にて、第１のＶＯＸレベルを選択して、処理をステップS101に戻す。
【００３２】
実施形態１の無線通信機１０１によれば、ユーザが音声を送信しようとするときにスイッチ８１を押下することによって、ＶＯＸ機能が働く音声のレベルを意識する必要がなく、通常の音量で通話を開始することができる。
【００３３】
（実施形態２）
図３〜図５を参照して、実施形態２の無線通信機１０２について説明する。図３に示す実施形態２の無線通信機１０２において、実施形態１の無線通信機１０１と同一部分には同一符号を付し、その説明を省略する。
【００３４】
ＣＰＵ３は、送信判定部３０５、音声レベル比較部３０６、スケルチ処理部３０７、経過時間計測部３０８、経過時間比較部３０９、ＶＯＸレベル選択部３１０を有する。スケルチ処理部３０７は、受信部６が生成した受信信号における音声の帯域外の信号のノイズレベルと所定の閾値とを比較する。スケルチ処理部３０７は、ノイズレベルが閾値以上であれば、ミュート制御部９に受信信号のミュートを指示する。ミュート制御部９は、受信信号をミュートするようミュート回路１０を制御する。
【００３５】
このようにして、スケルチ処理部３０７は、スピーカ１１から耳障りなノイズが出力されないようにしている。スケルチ処理部３０７がノイズをミュートさせる動作は「スケルチを閉じる」と称されている。
【００３６】
スケルチ処理部３０７は、ノイズレベルが閾値未満であれば、ミュート制御部９に受信信号のアンミュートを指示する。ミュート制御部９は、受信した音声がスピーカ１１から出力されるよう、受信信号をアンミュートするようミュート回路１０を制御する。スケルチ処理部３０７が受信した音声を出力させる動作は「スケルチを開く」と称されている。
【００３７】
スケルチ処理部３０７がミュート制御部９に対して受信信号のミュートを指示したということは、受信部６における受信が完了して受信待ち受け状態となったとみなすことができる。そこで、スケルチ処理部３０７は、ミュート制御部９に対して受信信号のミュートを指示したタイミングを示すタイミング情報を経過時間計測部３０８に供給する。
【００３８】
無線通信機１０２の基本的な動作として、経過時間計測部３０８は、タイミング情報を受信した時点（即ち、受信信号のミュートを指示した時点）からの経過時間を計測する。経過時間計測部３０８が計測した経過時間を示す情報は、経過時間比較部３０９に供給される。経過時間比較部３０９は、経過時間計測部３０８が計測した経過時間と基準経過時間とを比較する。
【００３９】
ＶＯＸレベル選択部３１０は、計測した経過時間が基準経過時間を超えれば第１のＶＯＸレベルを選択し、計測した経過時間が基準経過時間以内であれば第２のＶＯＸレベルを選択する。
【００４０】
計測した経過時間が基準経過時間以内であれば第２のＶＯＸレベルが選択されるので、ユーザは、意図的に大きな音量で通話を開始する必要はなく、通常の音量で通話を開始することができる。通信相手からの受信が終了した後にさほど時間を空けずに通話を開始するときに不自然に大きな音量で話す必要がなく、通信相手と自然な会話をすることが可能となる。
【００４１】
経過時間が基準経過時間を超えれば、通信相手との会話が一旦終了した状態である。このとき第１のＶＯＸレベルが選択されるので、ユーザが通話を再開させようとするときには、意図的に大きな音量で話すことによってＶＯＸ機能が働いて通話を再開させることができる。
【００４２】
さらに、実施形態２の無線通信機１０２においては、ユーザが通話を再開させようとするときに意図的に大きな音量で話さなくてもよいように、次にように構成している。
【００４３】
無線通信機１０２は、スケルチを閉じているときに意図的にノイズをスピーカ１１から出力させるためのモニタスイッチ８２を備える。ユーザがモニタスイッチ８２を押下すると、スケルチ処理部３０７に対して受信信号のアンミュートが指示される。スケルチ処理部３０７は、モニタスイッチ８２が押下されている期間だけ、ミュート制御部９に受信信号のアンミュートを指示して、スケルチを開く。
【００４４】
無線通信機１０２においては、ＶＯＸレベルを切り替えるために、ユーザはモニタスイッチ８２を押下した後に押下を解除する。ユーザがモニタスイッチ８２を押下した後に押下を解除すると、スケルチ処理部３０７はミュート制御部９に対して一旦、受信信号のアンミュートを指示し、その直後に受信信号のミュートを指示する。モニタスイッチ８２の押下及びその解除は、ミュート制御部９に対して受信信号のミュートを指示するトリガであるため、ユーザはモニタスイッチ８２を押下した後に即座に押下を解除すればよい。
【００４５】
すると、上述した基本的な動作と同様に、スケルチ処理部３０７は、ミュート制御部９に対して受信信号のミュートを指示したタイミングを示すタイミング情報を経過時間計測部３０８に供給する。
【００４６】
よって、経過時間計測部３０８は、タイミング情報を受信した時点（即ち、モニタスイッチ８２の押下を解除した時点）からの経過時間を計測する。経過時間計測部３０８が計測した経過時間を示す情報は、経過時間比較部３０９に供給される。経過時間比較部３０９は、経過時間計測部３０８が計測した経過時間と基準経過時間とを比較する。
【００４７】
ＶＯＸレベル選択部３１０は、計測した経過時間が基準経過時間を超えれば第１のＶＯＸレベルを選択し、計測した経過時間が基準経過時間以内であれば第２のＶＯＸレベルを選択する。計測した経過時間が基準経過時間以内であれば第２のＶＯＸレベルが選択されるので、ユーザは、意図的に大きな音量で通話を開始する必要はなく、通常の音量で通話を再開することができる。
【００４８】
図４に示すフローチャートを用いて、実施形態２の無線通信機１０２の基本的な動作としてのＶＯＸレベルの切り替え処理を説明する。図４において、ＣＰＵ３は、ステップS201にて、ノイズレベルが閾値以上であるか否かを判定する。ノイズレベルが閾値以上でなければ（NO）、ＣＰＵ３は、ステップS202にて、ミュート制御部９に対して受信信号をアンミュートするよう指示して、処理をステップS201に戻す。
【００４９】
ステップS201にてノイズレベルが閾値以上であれば（YES）、ＣＰＵ３は、ステップS203にて、ミュート制御部９に対して受信信号をミュートするよう指示する。ＣＰＵ３は、ステップS204にて、ミュートを指示した時点からの経過時間を計測する。
【００５０】
ＣＰＵ３は、ステップS205にて、ミュートを指示した時点からの経過時間が基準時間を超えたか否かを判定する。ミュートを指示した時点からの経過時間が基準時間を超えていなければ（NO）、ＣＰＵ３は、ステップS206にて、第２のＶＯＸレベルを選択して、処理をステップS205に戻す。
【００５１】
ステップS205にてミュートを指示した時点からの経過時間が基準時間を超えれば（YES）、ＣＰＵ３は、ステップS207にて、ミュートを指示した時点からの経過時間を初期化し、ステップS208にて、第１のＶＯＸレベルを選択して、処理を終了させる。
【００５２】
図５に示すフローチャートを用いて、実施形態２の無線通信機１０２においてモニタスイッチ８２が押下されたときのＶＯＸレベルの切り替え処理を説明する。図５において、ＣＰＵ３は、ステップS211にて、モニタスイッチ８２が押下されたか否かを判定する。モニタスイッチ８２が押下されなければ（NO）、ＣＰＵ３はステップS211の処理を繰り返す。
【００５３】
ステップS211にてモニタスイッチ８２が押下されれば（YES）、ＣＰＵ３は、ステップS212にて、ミュート制御部９に受信信号をアンミュートするよう指示する。ＣＰＵ３は、ステップS213にて、モニタスイッチ８２の押下が解除されたか否かを判定する。モニタスイッチ８２の押下が解除されなければ（NO）、ＣＰＵ３はステップS212及びS213の処理を繰り返す。
【００５４】
ステップS213にてモニタスイッチ８２の押下が解除されれば（YES）、ＣＰＵ３は、ステップS214にて、ミュート制御部９に受信信号をミュートするよう指示し、ステップS215にて、ミュートを指示した時点からの時間経過の計測を開始する。
【００５５】
ＣＰＵ３は、ステップS216にて、ミュートを指示した時点からの経過時間が基準時間を超えたか否かを判定する。ミュートを指示した時点からの経過時間が基準時間を超えていなければ（NO）、ＣＰＵ３は、ステップS217にて、第２のＶＯＸレベルを選択して、処理をステップS216に戻す。
【００５６】
ステップS216にてミュートを指示した時点からの経過時間が基準時間を超えれば（YES）、ＣＰＵ３は、ステップS218にて、ミュートを指示した時点からの経過時間を初期化し、ステップS219にて、第１のＶＯＸレベルを選択して、処理をステップS211に戻す。
【００５７】
実施形態２の無線通信機１０２は、スケルチ処理部３０７がミュート制御部９に対して受信信号のミュートを指示した時点以降を受信部６における受信が完了して受信待ち受け状態となったとみなす。そして、実施形態２の無線通信機１０２は、ミュートを指示した時点からの経過時間が基準経過時間以内であれば第２のＶＯＸレベルを選択する。よって、実施形態２の無線通信機１０２によれば、ユーザは、意図的に大きな音量で通話を開始する必要はなく、通常の音量で通話を開始することができる。
【００５８】
また、実施形態２の無線通信機１０２によれば、ユーザは、音声を送信しようとする任意のタイミングでモニタスイッチ８２を押下することによって、ＶＯＸ機能が働く音声のレベルを意識する必要がなく、通常の音量で通話を開始することができる。
【００５９】
（実施形態３）
図６及び図７を参照して、実施形態３の無線通信機１０３について説明する。図６に示す実施形態３の無線通信機１０３において、実施形態１の無線通信機１０１と同一部分には同一符号を付し、その説明を省略する。
【００６０】
図６に示すように、無線通信機１０３は、無線通信機１０１に遅延制御部３０１が追加された構成となっている。遅延制御部３０１は、バッファ３０２、バイパス部３０３、反転器３０４を備える。
【００６１】
バッファ３０２は、ＦＩＦＯ（First-In First-Out）方式で音声信号を録音して再生する。具体的には、バッファ３０２は、音声信号を所定時間録音し、設定された録音時間に達した時点で先に録音した部分より音声信号の再生を開始して再生された部分を消去し、空き領域に録音を継続させることにより、デジタル音声信号を所定時間遅延させる。
【００６２】
バッファ３０２は、Ａ／Ｄ変換器２から入力されたデジタル音声信号を遅延させ、送信判定部３０５に供給する。バッファ３０２は、経過時間比較部３０９からの比較結果に基づき、スイッチ８１が押下された時点からの経過時間が基準経過時間以内であれば、録音及び再生による遅延処理を実行する。
【００６３】
バッファ３０２は、経過時間比較部３０９から比較結果に基づき、スイッチ８１が押下された時点からの経過時間が基準経過時間を超えれば、録音及び再生による遅延処理を実行しない。なお、録音可能な時間長は無線通信機１０３を使用するユーザが任意に設定できてもよい。
【００６４】
バイパス部３０３は、Ａ／Ｄ変換器２から入力されたデジタル音声信号を遅延させずに、送信判定部３０５に供給する。バイパス部３０３は、反転器３０４を介して入力される経過時間比較部３０９からの比較結果に基づき、スイッチ８１が押下された時点からの経過時間が基準経過時間以内であれば、デジタル音声信号を通過させない。バイパス部３０３は、経過時間比較部３０９から比較結果に基づき、スイッチ８１が押下された時点からの経過時間が基準経過時間を超えれば、デジタル音声信号を通過させる。
【００６５】
反転器３０４は、バッファ３０２と、バイパス部３０３とを排他的に切り替えるため、経過時間比較部３０９からの比較結果の論理を反転させ、その反転された論理の信号をバイパス部３０３に供給する。
【００６６】
実施形態３の無線通信機１０３において、経過時間比較部３０９の比較結果に基づき、スイッチ８１が押下された時点からの経過時間が基準経過時間以内であれば、バッファ３０２が動作し、バイパス部３０３は反転器３０４により動作が停止される。また、経過時間比較部３０９の比較結果に基づき、スイッチ８１が押下された時点からの経過時間が基準経過時間を超えれば、バッファ３０２は動作を停止し、バイパス部３０３が動作する。バイパス部３０３の代わりに、反転器３０４からの指示によりオン／オフするスイッチを設けてもよい。
【００６７】
以上の構成により、遅延制御部３０１は、以下の動作を実行する。遅延制御部３０１は、スイッチ８１が押下された時点からの経過時間が基準経過時間以内であれば、Ａ／Ｄ変換器２からのデジタル音声信号を所定の時間だけ遅延させて送信判定部３０５に供給する。遅延制御部３０１は、スイッチ８１が押下された時点からの経過時間が基準経過時間を超えれば、デジタル音声信号を遅延させずに送信判定部３０５に供給する。
【００６８】
よって、実施形態３の無線通信機１０３によれば、スイッチ８１が押下された時点からの経過時間が基準経過時間以内であれば、デジタル音声信号のレベルが第２のＶＯＸレベル以上と検出された時点から、遅延したデジタル音声信号が送信判定部３０５に入力され、遅延したデジタル音声信号が送信部５に供給されて送信される。
【００６９】
また、実施形態３の無線通信機１０３によれば、スイッチ８１が押下された時点からの経過時間が基準経過時間を超えれば、デジタル音声信号のレベルが第１のＶＯＸレベル以上と検出された時点から、非遅延のデジタル音声信号が送信判定部３０５に入力され、非遅延のデジタル音声信号が送信部５に供給されて送信される。
【００７０】
従来のＶＯＸ機能による音声の送信においては、マイクロホン１に音声が入力され、その音声レベルがＶＯＸレベルに達するまでの時間、さらに送信開始の指示から送信部５が動作するまでの時間、マイクロホン１に入力された音声は送信されず、いわゆる頭切れが生じる。
【００７１】
これに対して、実施形態３の無線通信機１０３は、マイクロホン１に音声が入力され、その音声レベルがＶＯＸレベルに達する時点以前の音声信号を、マイクロホン１に音声が入力されてから送信部５が動作するまでの時間よりも十分に長い時間録音する。よって、実施形態３のＶＯＸ機能による音声の送信においては、送信部５が動作してから再生を開始した音声信号を送信することで、実質的に通話冒頭の頭切れをなくすことができる。
【００７２】
また、携帯型無線機通信機等の電池で動作する無線機通信機の場合に、受信中において常に録音状態としておくと電池の消費が多くなる。そこで、実施形態３の無線通信機１０３によれば、スイッチ８１が押下されて通話を開始するときにのみ録音動作を行うことで、電池の消費をさほど多くすることなく、頭切れがなく通信相手と自然に会話することができる。また、実施形態３の無線通信機１０３によれば、通信相手との会話が一旦終了した状態であれば録音を停止させ、電力消費を抑制することができる。
【００７３】
図７示すフローチャートを用いて、実施形態３の無線通信機１０３におけるＶＯＸレベルの切り替え処理、及び、音声信号の遅延処理を説明する。なお、ステップS301〜S303は図２のステップS101〜S103と同じであり、説明を省略する。
【００７４】
ＣＰＵ３は、ステップS303にてスイッチ８１が押下された時点からの経過時間が基準経過時間を越えていなければ（NO）、ステップS304にてマイクロホン１からの音声信号を遅延させ、ステップS305にて第２のＶＯＸレベルを選択して、処理をステップS303に戻す。
【００７５】
ＣＰＵ３は、ステップS303にてスイッチ８１が押下された時点からの経過時間が基準経過時間を越えれば（YES）、ステップS306にて計測した経過時間を初期化し、ステップS307にてマイクロホン１からの音声信号の遅延を解除する。ＣＰＵ３は、ステップS308にて、第１のＶＯＸレベルを選択して、処理をステップS301に戻す。
【００７６】
実施形態１の無線通信機１０１においては、ＣＰＵ３は、ステップS104で第２のＶＯＸレベルが選択されても、ステップS106で第１のＶＯＸレベルが選択されても、デジタル音声信号がそれぞれのＶＯＸレベル以上であれば、送信部５に対して、ＶＯＸレベル以上となった時点からのデジタル音声信号の送信を開始するよう指示する。
【００７７】
実施形態３の無線通信機１０３においては、ＣＰＵ３は、ステップS308で第１のＶＯＸレベルが選択されれば、送信部５に対して、第１のＶＯＸレベル以上となった時点からのデジタル音声信号の送信を開始するよう指示する。一方、ＣＰＵ３は、ステップS305で第２のＶＯＸレベルが選択されれば、遅延制御部３０１のバッファ３０２によって遅延されたデジタル音声信号の送信を開始するよう指示する。
【００７８】
実施形態３の無線通信機１０３によれば、実施形態１の無線通信機１０１による効果に加えて、通話冒頭の頭切れをほとんどなくすことができるという効果を奏する。
【００７９】
（実施形態４）
図８〜図１０を参照して、実施形態４の無線通信機１０４について説明する。図８に示す実施形態４の無線通信機１０４において、実施形態２の無線通信機１０２または実施形態３の無線通信機１０３と同一部分には同一符号を付し、その説明を省略する。図８に示すように、無線通信機１０４は、無線通信機１０２に遅延制御部３０１が追加された構成となっている。
【００８０】
実施形態４の無線通信機１０４において、経過時間比較部３０９の比較結果に基づき、ミュートを指示した時点からの経過時間が基準経過時間以内であれば、バッファ３０２が動作し、バイパス部３０３は反転器３０４により動作が停止される。また、経過時間比較部３０９の比較結果に基づき、ミュートを指示した時点からの経過時間が基準経過時間を超えれば、バッファ３０２は動作を停止し、バイパス部３０３が動作する。
【００８１】
以上の構成により、遅延制御部３０１は、以下の動作を実行する。遅延制御部３０１は、ミュートを指示した時点からの経過時間が基準経過時間以内であれば、Ａ／Ｄ変換器２からのデジタル音声信号を所定の時間だけ遅延させて送信判定部３０５に供給する。遅延制御部３０１は、ミュートを指示した時点からの経過時間が基準経過時間を超えれば、デジタル音声信号を遅延させずに送信判定部３０５に供給する。
【００８２】
よって、実施形態４の無線通信機１０４によれば、ミュートを指示した時点からの経過時間が基準経過時間以内であれば、デジタル音声信号のレベルが第２のＶＯＸレベル以上と検出された時点から、遅延したデジタル音声信号が送信判定部３０５に入力され、遅延したデジタル音声信号が送信部５に供給されて送信される。
【００８３】
また、実施形態４の無線通信機１０４によれば、ミュートを指示した時点からの経過時間が基準経過時間を超えれば、デジタル音声信号のレベルが第１のＶＯＸレベル以上と検出された時点から、非遅延のデジタル音声信号が送信判定部３０５に入力され、非遅延のデジタル音声信号が送信部５に供給されて送信される。
【００８４】
図９示すフローチャートを用いて、実施形態４の無線通信機１０４基本的な動作としてのＶＯＸレベルの切り替え処理、及び、音声信号の遅延処理を説明する。ステップS401〜S404は図４のステップS201〜S205と同じであり、説明を省略する。
【００８５】
ＣＰＵ３は、ステップS405にてミュートを指示した時点からの経過時間が基準経過時間を越えていなければ（NO）、ステップS406にてマイクロホン１からの音声信号を遅延し、ステップS407にて第２のＶＯＸレベルを選択して、処理をステップS405に戻す。
【００８６】
ＣＰＵ３は、ステップS405にてミュートを指示した時点からの経過時間が基準経過時間を越えれば（YES）、ステップS408にて、計測した経過時間を初期化し、ステップS409にて、マイクロホン１からの音声信号の遅延を解除する。ＣＰＵ３は、ステップS410にて、第１のＶＯＸレベルを選択して、処理を終了させる。
【００８７】
図１０に示すフローチャートを用いて、実施形態４の無線通信機１０４においてモニタスイッチ８２が押下されたときのＶＯＸレベルの切り替え処理、及び、音声信号の遅延処理を説明する。ステップS411〜S416は図５のステップS211〜S216と同じであり、説明を省略する。
【００８８】
ＣＰＵ３は、ステップS416にてミュートを指示した時点からの経過時間が基準時間を超えていなければ（NO）、ステップS417にてマイクロホン１からの音声信号を遅延させ、S418にて第２のＶＯＸレベルを選択して、処理をステップS416に戻す。
【００８９】
ＣＰＵ３は、ステップS416にてミュートを指示した時点からの経過時間が基準時間を超えれば（YES）、ステップS419にて計測した経過時間を初期化し、ステップS420にてマイクロホン１からの音声信号の遅延を解除する。ＣＰＵ３は、ステップS421にて、第１のＶＯＸレベルを選択して、処理をステップS411に戻す。
【００９０】
実施形態４の無線通信機１０４によれば、実施形態２の無線通信機１０２による効果に加えて、通話冒頭の頭切れをほとんどなくすことができるという効果を奏する。
【００９１】
本発明は以上説明した本実施形態に限定されるものではなく、本発明の要旨を逸脱しない範囲において種々変更可能である。
【符号の説明】
【００９２】
１  マイクロホン
２  Ａ／Ｄ変換器
３  中央処理装置
４  記憶部
５  送信部
６  受信部
７  アンテナ
９  ミュート制御部
１０  ミュート回路
１１  スピーカ
８１  スイッチ
８２  モニタスイッチ
３０１  遅延制御部
３０２  バッファ
３０３  バイパス部
３０４  反転器
３０５  送信判定部
３０６  音声レベル比較部
３０７  スケルチ処理部
３０８  経過時間計測部
３０９  経過時間比較部
３１０  ＶＯＸレベル選択部
【図１】
2019096922.tif 000003
【図２】
2019096922.tif 000004
【図３】
2019096922.tif 000005
【図４】
2019096922.tif 000006
【図５】
2019096922.tif 000007
【図６】
2019096922.tif 000008
【図７】
2019096922.tif 000009
【図８】
2019096922.tif 000010
【図９】
2019096922.tif 000011
【図１０】
2019096922.tif 000012